(57)【要約】【課題】動画とその位置情報を関連付けて、他者と共有可能に管理し、再生時に、同じ位置の他の動画の再生も可能にする動画撮影再生システム等を提供する。【解決手段】モバイル端末３は、撮影した動画データ３２１とその位置情報３２３を動画共有サーバ７にアップし、動画共有サーバ７は、動画データ３２１とともに、位置情報３２３から道路情報（参照点ＩＤ７４０、区間ＩＤ７５２、路線名７４５）を取得して動画データ動画ＤＢ７２３で管理する。モバイル端末３は、所望の動画データ３２１を動画共有サーバ７から取得して、再生画像５４及び地図画像５５を表示するとともに、再生している地点の別の動画が存在するか否かを動画共有サーバ７に問い合わせ、存在する場合には、別の動画も表示する。【選択図】図５
2015069258.tif 000002
【特許請求の範囲】
【請求項１】
動画を撮影・再生可能なモバイル端末と、動画を管理する動画共有サーバと、がネットワークを介して接続された動画撮影再生システムであって、
前記モバイル端末は、
動画を撮影する撮影手段と、
前記動画の撮影時の所定間隔の位置情報を取得する位置情報取得手段と、
前記動画及び前記位置情報を前記動画共有サーバに送信する送信手段と、
前記動画共有サーバが管理する動画情報を取得する共有動画取得手段と、
前記動画情報に含まれる、前記動画を表示し、前記位置情報を地図上にプロットする表示手段と、
を具備し、
前記動画共有サーバは、
前記モバイル端末から前記動画及び前記位置情報を受信する受信手段と、
受信した前記位置情報に基づいて、前記位置情報が属する道路情報を取得する道路情報取得手段と、
前記動画と前記位置情報と前記道路情報とを紐付けて動画情報として格納する動画情報格納手段と、
前記モバイル端末の要求に応じて、前記動画情報を配信する配信手段と、
を具備する
ことを特徴とする動画撮影再生システム。
【請求項２】
前記配信手段は、前記動画情報を配信する際に、前記道路情報に基づいて、別ルートの動画情報がある場合には、当該別ルートの動画情報も配信する
ことを特徴とする請求項１に記載の動画撮影再生システム。
【請求項３】
前記道路情報は、道路の区間の情報と、区間の端点の位置情報とを含む
ことを特徴とする請求項２に記載の動画撮影再生システム。
【請求項４】
前記配信手段は、前記道路情報において、前記区間の端点の位置情報が一致し、前記区間の情報が一致しない前記動画情報を、前記別ルートの動画情報とする
ことを特徴とする請求項３に記載の動画撮影再生システム。
【請求項５】
動画を撮影・再生可能なモバイル端末と、動画を管理する動画共有サーバと、がネットワークを介して接続された動画撮影再生システムにおける動画撮影再生方法であって、
前記モバイル端末は、
動画を撮影する撮影ステップと、
前記動画の撮影時の所定間隔の位置情報を取得する位置情報取得ステップと、
前記動画及び前記位置情報を前記動画共有サーバに送信する送信ステップと、
前記動画共有サーバが管理する動画情報を取得する共有動画取得ステップと、
前記動画情報に含まれる、前記動画を表示し、前記位置情報を地図上にプロットする表示ステップと、
を含み、
前記動画共有サーバは、
前記モバイル端末から前記動画及び前記位置情報を受信する受信ステップと、
受信した前記位置情報に基づいて、前記位置情報が属する道路情報を取得する道路情報取得ステップと、
前記動画と前記位置情報と前記道路情報とを紐付けて動画情報として格納する動画情報格納ステップと、
前記モバイル端末の要求に応じて、前記動画情報を配信する配信ステップと、
を含む
ことを特徴とする動画撮影再生方法。
【請求項６】
撮影した動画と前記動画の撮影時に取得した所定間隔の位置情報とを送信するモバイル端末と、ネットワークを介して接続された動画共有サーバであって、
前記モバイル端末から前記動画及び前記位置情報を受信する受信手段と、
受信した前記位置情報に基づいて、前記位置情報が属する道路情報を取得する道路情報取得手段と、
前記動画と前記位置情報と前記道路情報とを紐付けて動画情報として格納する動画情報格納手段と、
前記モバイル端末の要求に応じて、前記動画情報を配信する配信手段と、
を具備することを特徴とする動画共有サーバ。
【請求項７】
前記配信手段は、前記動画情報を配信する際に、前記道路情報に基づいて、別ルートの動画情報がある場合には、当該別ルートの動画情報も配信する
ことを特徴とする請求項６に記載の動画共有サーバ。
【請求項８】
撮影した動画と前記動画の撮影時に取得した所定間隔の位置情報とを送信するモバイル端末と、ネットワークを介して接続された動画共有サーバで行う動画共有方法であって、
前記モバイル端末から前記動画及び前記位置情報を受信する受信ステップと、
受信した前記位置情報に基づいて、前記位置情報が属する道路情報を取得する道路情報取得ステップと、
前記動画と前記位置情報と前記道路情報とを紐付けて動画情報として格納する動画情報格納ステップと、
前記モバイル端末の要求に応じて、前記動画情報を配信する配信ステップと、
を含むことを特徴とする動画共有方法。
【請求項９】
コンピュータを、撮影した動画と前記動画の撮影時に取得した所定間隔の位置情報とを送信するモバイル端末と、ネットワークを介して接続された動画共有サーバとして機能させるためのプログラムであって、
前記コンピュータを、
前記モバイル端末から前記動画及び前記位置情報を受信する受信手段、
受信した前記位置情報に基づいて、前記位置情報が属する道路情報を取得する道路情報取得手段、
前記動画と前記位置情報と前記道路情報とを紐付けて動画情報として格納する動画情報格納手段、
前記モバイル端末の要求に応じて、前記動画情報を配信する配信手段、
として機能させるためのプログラム。
【発明の詳細な説明】
【技術分野】
【０００１】
本発明は、動画を他者と共有可能な動画撮影再生システムに係り、更に詳しくは、撮影された動画と、その位置情報や日時情報を同時に管理し、再生時に、同じ位置の別の動画も再生可能な動画撮影再生システム等に関するものである。
【背景技術】
【０００２】
スマートフォンをはじめとするモバイル端末にカメラ機能やビデオ機能が付加されたことにより、モバイル端末で撮影された写真や動画を他者と共有することができるようになってきている。
また、モバイル端末にはＧＰＳ（Ｇｌｏｂａｌ  Ｐｏｓｉｔｉｏｎｉｎｇ  Ｓｙｓｔｅｍ）機能が付加されており、モバイル端末で撮影した写真や動画と、撮影位置情報を関連付けて管理することが可能になってきている（例えば、特許文献１、２）。
【０００３】
特許文献１は、画像データとＧＰＳデータを関連付けて管理できるデジタルカメラについて開示している。
また、特許文献２は、屋外を移動中の利用者が、利用者の現在位置のＧＰＳデータを元に、現在位置にある対象物に関する動画等の情報をリアルタイムで取得可能なシステムについて開示している。
【先行技術文献】
【特許文献】
【０００４】
【特許文献１】特開２００８−２７１３２５号公報
【特許文献２】特許第４２３６７２号公報
【発明の概要】
【発明が解決しようとする課題】
【０００５】
しかしながら、特許文献１の方法は、撮影した画像データを他者と共有しようとする場合、ＳＤカード等の媒体を介してパーソナルコンピュータ等に画像データを取り込み、パーソナルコンピュータ経由で共有サイトにアップする必要があり、手間がかかるという問題がある。
また、画像データを再生・閲覧することは可能であるが、ＧＰＳデータを使用した地図等の他のデータを表示することはできない。
【０００６】
また、特許文献２のシステムは、利用者の現在位置のＧＰＳデータを元に、現在位置にある対象物の画像等を表示することは可能であるが、利用者がその場所に赴かないと画像再生ができないという問題がある。
【０００７】
特許文献１及び特許文献２の方法では、例えばドライブ計画を立てるような場合に、現地に赴かずに、所望の位置の動画データと、その動画データの撮影位置を示す地図情報を表示させて下見の役割を果たすことはできない。
【０００８】
本発明は、前述した問題点に鑑みてなされたもので、その目的とするところは、動画とその位置情報を関連付けて、他者と共有可能に管理し、再生時に、同じ位置の他の動画の再生も可能にする動画撮影再生システム等を提供することである。
【課題を解決するための手段】
【０００９】
前述した目的を達成するために、第１の発明は、動画を撮影・再生可能なモバイル端末と、動画を管理する動画共有サーバと、がネットワークを介して接続された動画撮影再生システムであって、前記モバイル端末は、動画を撮影する撮影手段と、前記動画の撮影時の所定間隔の位置情報を取得する位置情報取得手段と、前記動画及び前記位置情報を前記動画共有サーバに送信する送信手段と、前記動画共有サーバが管理する動画情報を取得する共有動画取得手段と、前記動画情報に含まれる、前記動画を表示し、前記位置情報を地図上にプロットする表示手段と、を具備し、前記動画共有サーバは、前記モバイル端末から前記動画及び前記位置情報を受信する受信手段と、受信した前記位置情報に基づいて、前記位置情報が属する道路情報を取得する道路情報取得手段と、前記動画と前記位置情報と前記道路情報とを紐付けて動画情報として格納する動画情報格納手段と、前記モバイル端末の要求に応じて、前記動画情報を配信する配信手段と、を具備する動画撮影再生システムである。
【００１０】
第１の発明により、モバイル端末は、モバイル端末で撮影した動画を、位置情報とともに動画共有サーバに送信（アップロード）し、動画共有サーバにより管理されている動画を取得して、取得した動画の位置情報がプロットされた地図とともに、表示することが可能になる。また、他のモバイル端末から送信された動画及び位置情報も表示可能であり、また他のモバイル端末に、動画及び位置情報を提示することもできる。
【００１１】
前記配信手段は、前記動画情報を配信する際に、前記道路情報に基づいて、別ルートの動画情報がある場合には、当該別ルートの動画情報も配信することが望ましい。
また、前記道路情報は、道路の区間の情報と、区間の端点の位置情報とを含むことが望ましい。
また、前記配信手段は、前記道路情報において、前記区間の端点の位置情報が一致し、前記区間の情報が一致しない前記動画情報を、前記別ルートの動画情報とすることが望ましい。
【００１２】
これにより、動画共有サーバから最初に取得した動画と同様の位置の他の動画や、同様の位置の別ルートの動画を更に取得し、表示することが可能になる。
これにより、ドライブ計画を立てる際に、地図と、地図上を走行した場合の映像を同時にモバイル端末上で見ることが可能であり、また、別の動画を更に取得して表示することにより、同じ地点の別の時間帯の動画や、分かれ道等の別ルートの動画を閲覧可能になり、ルートの事前確認や、下見ができ、また、道路や交差点の状況を把握することが可能であり、より良い計画を容易に立てることが可能になる。
【００１３】
第２の発明は、動画を撮影・再生可能なモバイル端末と、動画を管理する動画共有サーバと、がネットワークを介して接続された動画撮影再生システムにおける動画撮影再生方法であって、前記モバイル端末は、動画を撮影する撮影ステップと、前記動画の撮影時の所定間隔の位置情報を取得する位置情報取得ステップと、前記動画及び前記位置情報を前記動画共有サーバに送信する送信ステップと、前記動画共有サーバが管理する動画情報を取得する共有動画取得ステップと、前記動画情報に含まれる、前記動画を表示し、前記位置情報を地図上にプロットする表示ステップと、を含み、前記動画共有サーバは、前記モバイル端末から前記動画及び前記位置情報を受信する受信ステップと、受信した前記位置情報に基づいて、前記位置情報が属する道路情報を取得する道路情報取得ステップと、前記動画と前記位置情報と前記道路情報とを紐付けて動画情報として格納する動画情報格納ステップと、前記モバイル端末の要求に応じて、前記動画情報を配信する配信ステップと、を含むことを特徴とする動画撮影再生方法である。
【００１４】
第３の発明は、撮影した動画と前記動画の撮影時に取得した所定間隔の位置情報とを送信するモバイル端末と、ネットワークを介して接続された動画共有サーバであって、前記モバイル端末から前記動画及び前記位置情報を受信する受信手段と、受信した前記位置情報に基づいて、前記位置情報が属する道路情報を取得する道路情報取得手段と、前記動画と前記位置情報と前記道路情報とを紐付けて動画情報として格納する動画情報格納手段と、前記モバイル端末の要求に応じて、前記動画情報を配信する配信手段と、を具備することを特徴とする動画共有サーバである。
第３の発明により、動画管理サーバは、モバイル端末から送信された、動画及び位置情報を管理すると共に、モバイル端末の要求に応じて、管理している動画及び位置情報を配信（提示）することができる。したがって、様々な人と動画及びその位置情報を共有することができる。
【００１５】
前記配信手段は、前記動画情報を配信する際に、前記道路情報に基づいて、別ルートの動画情報がある場合には、当該別ルートの動画情報も配信することが望ましい。
これにより、２地点間の別ルートの動画をモバイル端末に配信（提示）することができる。
【００１６】
第４の発明は、動画共有サーバは、撮影した動画と前記動画の撮影時に取得した所定間隔の位置情報とを送信するモバイル端末と、ネットワークを介して接続された動画共有サーバで行う動画共有方法であって、前記モバイル端末から前記動画及び前記位置情報を受信する受信ステップと、受信した前記位置情報に基づいて、前記位置情報が属する道路情報を取得する道路情報取得ステップと、前記動画と前記位置情報と前記道路情報とを紐付けて動画情報として格納する動画情報格納ステップと、前記モバイル端末の要求に応じて、前記動画情報を配信する配信ステップと、を含むことを特徴とする動画共有方法である。
第４の発明により、動画管理サーバは、モバイル端末から送信された、動画及び位置情報を管理すると共に、モバイル端末の要求に応じて、管理している動画及び位置情報を配信（提示）することができる。したがって、様々な人と動画及びその位置情報を共有することができる。
【００１７】
第５の発明は、コンピュータを、撮影した動画と前記動画の撮影時に取得した所定間隔の位置情報とを送信するモバイル端末と、ネットワークを介して接続された動画共有サーバとして機能させるためのプログラムであって、前記コンピュータを、前記モバイル端末から前記動画及び前記位置情報を受信する受信手段、受信した前記位置情報に基づいて、前記位置情報が属する道路情報を取得する道路情報取得手段、前記動画と前記位置情報と前記道路情報とを紐付けて動画情報として格納する動画情報格納手段、前記モバイル端末の要求に応じて、前記動画情報を配信する配信手段、として機能させるためのプログラムである。
第５の発明に係るプログラムを、汎用コンピュータにインストールすることにより、第３の発明に係る動画共有サーバを得て、第４の発明に係るプログラムを実行することができる。
【発明の効果】
【００１８】
本発明により、動画とその位置情報を関連付けて、他者と共有可能に管理し、再生時に、同じ位置の他の動画の再生も可能にする動画撮影再生システム等を提供することが可能になる。
【図面の簡単な説明】
【００１９】
【図１】本発明の実施形態に係る動画撮影再生システム１の構成例を示すブロック図
【図２】モバイル端末３のハードウエア構成例を示すブロック図
【図３】ＧＰＳサーバ５のハードウエア構成例を示すブロック図
【図４】動画共有サーバ７のハードウエア構成例を示すブロック図
【図５】本発明の実施形態に係る動画撮影再生システム１の機能例を示すブロック図
【図６】モバイル端末３の表示画面例（１）
【図７】モバイル端末３の表示画面例（２）
【図８】モバイル端末３の表示画面例（３）
【図９】モバイル端末３の表示画面例（４）
【図１０】本発明の実施形態に係る動画撮影再生システム１の動画撮影・再生アプリケーション取得処理の流れを示すフローチャート。
【図１１】本発明の実施形態に係る動画撮影再生システム１の動画撮影処理の流れを示すフローチャート（１）
【図１２】本発明の実施形態に係る動画撮影再生システム１の動画撮影処理の流れを示すフローチャート（２）
【図１３】モバイル端末３の記憶部３２に格納されるデータの例を示す図
【図１４】動画共有サーバ７の記憶部７２に格納されるデータの例を示す図
【図１５】道路データ７２１を説明する図
【図１６】本発明の実施形態に係る動画撮影再生システム１の動画再生処理の流れを示すフローチャート（１）
【図１７】本発明の実施形態に係る動画撮影再生システム１の動画再生処理の流れを示すフローチャート（２）
【発明を実施するための形態】
【００２０】
以下、添付図面に基づいて、本発明に係る動画撮影再生システム１等の好適な実施形態について詳細に説明する。尚、以下の説明及び添付図面において、略同一の機能構成を有する構成要素については、同一の符号を付することにより重複説明を省略することにする。
【００２１】
図１は、動画撮影再生システム１の概要を示すブロック図である。動画撮影再生システム１は、例えば、ユーザが使用するモバイル端末３と、動画を管理する動画共有サーバ７、位置情報を取得するＧＰＳサーバ５がネットワーク９を介して接続された構成である。
【００２２】
モバイル端末３は、動画の撮影、再生が可能であり、ネットワーク９を介して、撮影した動画を動画共有サーバ７にアップすることが可能である。モバイル端末３は、撮影した動画のデータに加えて、ＧＰＳサーバ５から取得する動画の撮影地点の位置情報等を動画共有サーバ７に送る。
また、モバイル端末３は、動画共有サーバ７により管理されている動画データと位置情報等を取得して、動画を再生し、かつ、位置情報を元に再生画像の撮影地点の位置を地図上にプロットして表示する。
【００２３】
ＧＰＳサーバ５は、モバイル端末３の要求に従い、モバイル端末３の現在位置を求め、その位置情報をモバイル端末３に送る。
モバイル端末３が自身でＧＰＳによる位置情報の取得が行える場合には、ＧＰＳサーバ５無しに動画撮影再生システム１を構築することが可能である。
【００２４】
動画共有サーバ７は、動画撮影再生アプリケーション・プログラムを保持し、このプログラムをダウンロードしたモバイル端末３から送られる動画を管理し、モバイル端末３からの要求に応じて動画データ等をモバイル端末３に送る。
動画共有サーバ７は、また、モバイル端末３から動画データとともに送られる位置情報を元に道路データを検索し、撮影地点の道路情報を取得し、動画データとともに管理する。
【００２５】
モバイル端末３は、動画共有サーバ７から動画データとともに、位置情報、道路情報を取得し、取得した動画データ以外の同様の道路情報を有する動画データを取得し、表示する。
これらの機能や処理の流れについては後述する。
【００２６】
図２は、モバイル端末３のハードウエア構成例を示すブロック図である。
モバイル端末３は、制御部３１、記憶部３２、メディア入出力部３３、通信制御部３４、ＧＰＳ部３５、表示・入力部３６、カメラ部３７、オーディオ部３８等がバス３９を介して接続された構成である。
【００２７】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部３２等に格納されるプログラムをＲＡＭ上のワークメモリ領域に呼び出して実行し、バス３９を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３６、ＲＯＭ、記憶媒体等からロードしたプログラム、データ等を一時的に保持するとともに、制御部３１が各種処理を行うために使用するワークエリアを備える。
【００２８】
記憶部３２は、制御部３１が実行するプログラム、プログラム実行に必要なデータ、ＯＳ（Ｏｐｅｒａｔｉｎｇ  Ｓｙｓｔｅｍ）等が格納される。プログラムは、例えば、モバイル端末３の制御プログラムや、アプリケーション・プログラム等である。
これらの各プログラムコードは、制御部３１により必要に応じて読み出されてＲＡＭに移され、ＣＰＵにより各種の手段として実行される。
記憶部３２には、動画共有サーバ７からダウンロードされる動画撮影再生用のアプリケーション・プログラムや、動画データ、位置情報、道路情報等が格納され、必要に応じて制御部３１に読み出される。
【００２９】
周辺機器Ｉ／Ｆ（インタフェース）部３５は、周辺機器を接続するためのＵＳＢ（Ｕｎｉｖｅｒｓａｌ  Ｓｅｒｉａｌ  Ｂｕｓ）ポート等である。
通信制御部３４は、通信制御装置、通信ポート等を有し、ネットワーク９を介した通信を媒介する通信インタフェースであり、例えば、無線ＬＡＮやＢｌｕｅｔｏｏｔｈ（登録商標）等のアンテナを有し、通信制御を行う。
【００３０】
ＧＰＳ部３５は、アンテナと制御部等からなり、ＧＰＳ衛星からの衛星データの受信を行う。本実施の形態の動画撮影再生システム１では、Ａ−ＧＰＳ（Ａｓｓｉｓｔｅｄ  ＧＰＳ）を想定しており、衛星データとして時刻信号を受信し、その時刻データと、モバイル端末３が接続されているネットワーク９の基地局の位置を元に、ＧＰＳサーバ５がモバイル端末３の位置を算出し、位置情報はＧＰＳサーバ５からモバイル端末３に送られる。
【００３１】
ＧＰＳ部３５の構成はこれに限ることはなく、例えば、ＧＰＳサーバ５からＧＰＳ衛星の軌道情報を得て、モバイル端末３のＧＰＳ部３５で位置を算出するようにしてもよい。また、ＧＰＳサーバ５によることなく、モバイル端末３のＧＰＳ部３５が測位処理を全て行うようにしてもよい。
【００３２】
表示・入力部３６は、液晶パネル等のディスプレイ装置と、タッチパネル等の入力装置で構成される。
カメラ部３７は、写真や動画の撮影を行う。
オーディオ部３８は、マイク及びスピーカーで構成される。
バス３９は、各装置間の制御信号、データ信号等の授受を媒介する経路である。
【００３３】
図３は、ＧＰＳサーバ５のハードウエア構成例を示す図である。
ＧＰＳサーバ５は、例えば、制御部５１、記憶部５３、通信制御部５５、ＧＰＳ部５７がバス５９で接続された構成である。
【００３４】
制御部５１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＧＰＳサーバ５の制御部５１は、モバイル端末３の制御部３１と同様の機能を持つので、説明は省略する。
【００３５】
記憶部５３は、ＨＤＤ（ハードディスクドライブ）等であり、制御部６１が実行するプログラム、プログラム実行に必要なデータ、ＯＳ（オペレーティングシステム）等が格納される。例えば、複数のＧＰＳ衛星の軌道周回情報や、軌道周回情報等からモバイル端末３等の位置を算出するプログラム等が格納される。
【００３６】
通信制御部５５は、通信制御装置、通信ポート等を有し、ネットワーク９を介した通信を媒介する通信インタフェースである。
【００３７】
ＧＰＳ部５７は、複数のＧＰＳ衛星の軌道周回情報の取得し、この情報と、モバイル端末３が接続されている基地局の位置、モバイル端末３からの時刻データ等からモバイル端末３の位置を算出する。
【００３８】
図４は、動画共有サーバ７のハードウエア構成例を示す図である。
動画共有サーバ７は、制御部７１、記憶部７２、メディア入出力部７３、通信制御部７４、入力部７５、表示部７６、周辺機器Ｉ／Ｆ部７７等が、バス７８を介して接続された構成である。
【００３９】
制御部７１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００４０】
記憶部７２は、ＨＤＤ（ハードディスクドライブ）等であり、制御部７１が実行するプログラム、プログラム実行に必要なデータ、ＯＳ（オペレーティングシステム）等が格納される。
プログラムは、例えば、共有する動画の管理プログラム等である。
モバイル端末３等からアップされた動画は、動画データベース（動画ＤＢ７２３）として記憶部７２に格納される。
また、動画の管理に必要な道路データ７２１等の情報がデータとして記憶部７２に格納される。
【００４１】
メディア入出力部７３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部７４は、通信制御装置、通信ポート等を有し、ネットワークを介して、他の装置との通信制御を行う。ネットワークは、有線、無線を問わない。
【００４２】
入力部７５は、データの入力を行い、例えば、キーボード、マウス等のポインティングデバイス、テンキー等の入力装置を有する。
表示部７６は、ＣＲＴモニタ、液晶パネル等のディスプレイ装置である。
周辺機器Ｉ／Ｆ（インタフェース）部７７は、周辺機器を接続させるためのポートであり、ＵＳＢ、ＩＥＥＥ１３９４、ＲＳ−２３２Ｃ等で構成され、接続形態は有線、無線を問わない。
バス７８は、各装置間の制御信号、データ信号等の授受を媒介する経路である。
【００４３】
図５は、本実施の形態に係る動画撮影再生システム１の機能ブロック図である。
動画撮影再生システム１による動画撮影再生をモバイル端末３で実行する場合には、まず、モバイル端末３は、動画共有サーバ７の記憶部７２に格納されている動画撮影・再生アプリケーション（以下、アプリケーションをアプリとも記載する。）７２０をダウンロードする（Ｓ１）。
これにより、モバイル端末３等で撮影した動画を動画共有サーバ７で共有し、所望の動画を再生する等のサービスを実行することが可能になる。
【００４４】
モバイル端末３が動画撮影・再生アプリ７２０をダウンロードすると、初期画面がモバイル端末３の表示・入力部３６に表示され、動画撮影処理（Ｓ２）または動画再生処理（Ｓ５）の実行が可能になる。
【００４５】
図６は、モバイル端末３の画面例を示す図である。
図６（ａ）は、動画撮影再生アプリの初期画面の例を示している。
再生可能な新着情報２２の概要と、録画を開始するための録画ボタン２１が表示される。
所望の新着情報２２をタッチすることにより動画再生処理（Ｓ５）が稼働し、録画ボタン２１をタッチすれば、動画撮影処理（Ｓ２）が稼働する。
【００４６】
動画撮影処理Ｓ２を起動すると、モバイル端末３の制御部３１は、カメラ部３７による撮影を開始するとともに、所定の位置取得間隔ＴでＧＰＳサーバ５に位置情報を要求する。
ＧＰＳサーバ５の制御部５１は、モバイル端末３の位置を算出し、モバイル端末３に送信する。
モバイル端末３の制御部３１は、撮影した動画データとＧＰＳサーバ５から取得した位置情報を記憶部３２に保存する。
【００４７】
また、モバイル端末３の制御部３１は、ＧＰＳサーバ５から取得した位置情報を元に、地図を表示する。
図６（ｂ）は、撮影時のモバイル端末３の画面例を示す図である。
表示・入力部３６のディスプレイの上部に現在撮影中の撮影画像２４が表示され、下部に地図画像２５が表示される。また、地図上には、所定の位置取得間隔Ｔごとに得られる位置情報がプロットされる（撮影地点プロット２６）。
また、下部に表示されている終了ボタン２３をタッチすると、撮影は終了する。
【００４８】
終了ボタン２３がタッチされて撮影が終了すると、モバイル端末３の制御部３１は、記憶部３２に格納されている動画データと位置情報を動画共有サーバ７に送るアップ処理を実行する。
【００４９】
図７は、撮影画像アップ処理時のモバイル端末３の確認ダイアログ画面２７の例を示す図である。
撮影画像のアップの有無を指定するボタン（「はい」「いいえ」）とともに、投稿者名や、撮影画像の説明文の入力画面が表示される。
【００５０】
撮影画像をアップする「はい」がタッチされると、モバイル端末３の制御部３１は、通信制御部３４によりネットワーク９を介して動画共有サーバ７に、動画データ、位置情報、投稿者名、説明文等の情報を送信する。
【００５１】
動画共有サーバ７の制御部７１は、モバイル端末３から動画データ、位置情報、投稿者名、説明部等の情報を受信し、それらの情報を動画ＤＢ（データベース）７２３に格納する処理を実行する（Ｓ４）。
【００５２】
まず、動画共有サーバ７の制御部７１は、モバイル端末３から受信した位置情報を元に、道路データ７２１を検索し、送られてきた動画についての道路情報を取得し（Ｓ４−１）する。
道路データ７２１は、例えば、日本デジタル道路地図協会による「道路の区間ＩＤテーブル標準」等のデータであり、記憶部７２に予め格納されている。
道路情報については後述する。
【００５３】
動画共有サーバ７の制御部７１は、動画データ、位置情報、投稿者名、説明文とともに、Ｓ４−１で求めた道路情報を動画ＤＢ７２３に格納する。
以上の処理により動画撮影処理が完了する。
【００５４】
動画共有サーバ７に登録されている動画をモバイル端末３で再生する場合には、動画撮影再生アプリを起動し、初期画面を表示し、所望の動画を選択させる。
図８は、動画再生におけるモバイル端末３の画面例を示す図である。
図８（ａ）は、初期画面の画面例である。概要が表示されている新着情報２２の部分をタッチすることにより、動画再生処理（Ｓ５）が起動する。
【００５５】
モバイル端末３の制御部３１は、選択された新着情報２２の再生要求を、通信制御部３４によりネットワーク９を介して動画共有サーバ７に送る。
動画共有サーバ７の制御部７１は、要求された新着情報２２を動画ＤＢ７２３から検索し、該当する動画データ、位置情報、道路情報を、ネットワーク９を介してモバイル端末３に送る（Ｓ６−１）
【００５６】
モバイル端末３の制御部３１は、受信した動画データを表示・入力部３６のディスプレイの上部に再生し、受信した位置データを元に、地図画像５５を表示する（Ｓ５−１）。
【００５７】
図８（ｂ）は、モバイル端末３の動画再生時の画面例である。
上部に再生画像５４が表示され、下部に再生画像５４の位置を示す地図画像５５が表示される。現在再生されている地点が再生地点としてプロットされる（再生地点プロット５６）。
【００５８】
更に、モバイル端末３の制御部３１は、再生中の動画の地点について、他の動画が動画共有サーバ７に登録されていないかを動画共有サーバ７に問い合わせ、他の動画が存在する場合には、他の動画を表示する処理を行う（Ｓ５−２）。
すなわち、モバイル端末３の制御部３１は、再生中の動画の位置情報に対応する道路情報を、ネットワーク９を介して動画共有サーバ７に送り、同様の道路情報を持つ動画の有無を問い合わせる。
【００５９】
動画共有サーバ７の制御部７１は、モバイル端末３から道路情報を受信し、動画ＤＢ７２３を検索して、同様の道路情報を含む他の動画が存在する場合には、その動画の識別情報等をモバイル端末３に送る（Ｓ６−２）。
【００６０】
モバイル端末３の制御部３１は、動画の識別情報等を受信し、他の動画が存在することを地図上に表示する。
図８（ｂ）に示すように、他の動画が存在する場合には、その位置にマーク（例えば星印）を表示する（別ルート表示点５７）。
【００６１】
ここで、別ルート表示点５７のマークがタッチされた場合には、モバイル端末３の制御部３１は、当該動画の識別情報を動画共有サーバ７に送信して、当該動画データを要求する。
動画共有サーバ７の制御部７１は、要求を受けて、対応する動画データ等を動画ＤＢ７２３から取り出し、モバイル端末３に送り、モバイル端末３は、当該動画データ等を受信して、表示・入出力部３６に地図画像とともに表示する。
【００６２】
図９は、モバイル端末３の他の動画の表示画面例である。
他の動画の再生画像５４と、位置情報を元にした地図情報５５が表示される。
【００６３】
以下、本実施の形態に係る動画撮影再生システム１の処理の流れを詳細に説明する。
【００６４】
図１０は、動画撮影・再生アプリの取得処理の流れを示すフローチャートである。
まず、モバイル端末３の制御部３１は、動画撮影・再生アプリのダウンロードを要求する（ステップ１０１）。
動画共有サーバ７の制御部７１は、要求を受信し、記憶部７２に格納されている動画撮影・再生アプリ７２０をモバイル端末３に送信する。このとき、位置取得間隔Ｔ等の処理に必要なデータも送信する（ステップ１０２）。
【００６５】
モバイル端末３の制御部３１は、動画撮影・再生アプリ７２０等を受信し、アプリケーションおよびデータを記憶部３２に格納するとともに、動画撮影・再生アプリを起動し、初期画面を表示・入力部３６のディスプレイに表示させる（ステップ１０３）。
以上の処理により、動画撮影・再生アプリ７２０がモバイル端末３にダウンロードされ、いつでも起動することが可能になる。
【００６６】
次に、動画撮影処理について説明する。
図１１、図１２は、動画撮影処理の流れを示すフローチャートである。
【００６７】
まず、モバイル端末３の制御部３１は、初期画面（例えば、図６（ａ））において録画ボタン２１がタッチされると、カメラ部３７により動画し、撮影画像２４を記憶部３２に格納するとともに、表示・入力部２６に表示する（ステップ２０１）。
また、動画の撮影と並行して、位置情報をＧＰＳサーバ５から取得して動画データとともに記憶部３２に格納する処理を実行する（ステップ２０２〜２０８）。
【００６８】
すなわち、モバイル端末３の制御部３１は、位置情報の取得番号を示す位置番号カウンタに初期値の１をセットし、動画撮影・再生アプリ７２０とともにダウンロードした位置取得間隔Ｔの計測時間ｔの計測を開始する（ステップ２０２）。
【００６９】
次に、モバイル端末３の制御部３１は、ＧＰＳサーバ５に現在地の位置情報を要求する（ステップ２０３）。このとき、ＧＰＳ部３５により取得した時刻データ等を要求とともに送信する。
ＧＰＳサーバ５の制御部５１は、この要求を受信し、モバイル端末３の位置情報を求め、求めた位置情報をモバイル端末３に送信する（Ｓ３）。
ＧＰＳサーバ５は、モバイル端末３から取得した時刻データや、モバイル端末３が接続されている基地局の位置等からモバイル端末３の位置情報を算出することが可能である。
【００７０】
モバイル端末３の制御部３１は、ＧＰＳサーバ５から位置情報を受信し、位置情報が示す地点周辺の地図画像２５を表示・入力部３６に表示し、当該位置情報の位置を撮影地点プロット２６として地図上にマークする（ステップ２０４）。
【００７１】
また、モバイル端末３の制御部３１は、位置番号カウンタｎの値３２２と、位置情報３２３、を記憶部３２に格納する（ステップ２０５）。
ステップ２０３〜２０５の処理が、撮影の終了まで、位置取得間隔Ｔごとに実行される。
【００７２】
すなわち、撮影の終了ボタン２３が押されているか否かを判定し（ステップ２０６）、押されていない場合には（ステップ２０６のＮｏ）、位置取得間隔の計測時間ｔの値がＴ以上になったか否かを判定する（ステップ２０７）。ｔ＜Ｔの場合（ステップ２０７のＮｏ）、ステップ２０６、２０７の処理を繰り返す。
ｔ≧Ｔになったら（ステップ２０７のＹｅｓ）、位置番号カウンタｎの値を１インクリメントし、計測時間ｔの値を初期化して計測を開始し（ステップ２０８）、ステップ２０３に戻る。
撮影の終了ボタン２３が押されると、ステップ２０６のＹｅｓとなり、図１２に示す撮影動画データのアップ処理に移行する。
【００７３】
図１３は、モバイル端末３の記憶部３２に格納されるデータの構成例を示す図である。
図１３（ａ）は、動画共有サーバ７から取得した位置取得間隔Ｔの例である。例えば、位置取得間隔Ｔ＝1秒ごとにＤＰＳサーバ５に位置情報の取得要求を送信する。
【００７４】
図１３（ｂ）は、モバイル端末３の撮影時の一時保存データ３２０の構成例を示す図である。
動画データ３２１とともに、位置取得間隔ＴごとにＧＰＳサーバ５から取得した位置情報３２３が位置番号ｎ３２２と、日時情報３２４とともに格納される。
１つの動画データ３２１について、位置取得間隔Ｔごとに取得した１〜Ｎの位置情報３２３と日時情報３２４が格納される。
【００７５】
次に、撮影終了ボタン２３が押された後の、動画のアップ処理の流れを図１２に沿って説明する。
撮影終了ボタン２３が押されると（ステップ２０６のＹｅｓ）、モバイル端末３の制御部３１は、表示・入力部３６のディスプレイに確認ダイアログ２７を表示する（ステップ２１０）。これにより、例えば図７に示すような確認ダイアログ画面２７が表示される。
【００７６】
利用者は、この確認ダイアログ画面２７に従い、投稿する場合には、例えば、投稿者名や撮影した動画についての説明文を入力し、「はい」の位置をタッチする。投稿しない場合には、「いいえ」の位置をタッチすればよい。
【００７７】
モバイル端末３の制御部３１は、投稿の有無を判定し（ステップ２１１）、投稿しない場合（ステップ２１１の無）は、表示・入力部３６に初期画面を表示して処理を終了する（ステップ２１３）。
【００７８】
投稿する場合（ステップ２１１の有）は、モバイル端末３の制御部３１は、記憶部３２に一時的に格納した動画データ３２１、位置番号３２２、位置情報３２３、日時情報３２４を、ステップ２１０で入力された投稿者名および説明文のデータとともに動画共有サーバ７に送信し（ステップ２１２）、送信後、表示・入力部３６に初期画面を表示して処理を終了する（ステップ２１３）。
【００７９】
動画共有サーバ７の制御部７１は、モバイル端末３から送信された動画データ３２１、位置番号３２２、位置情報３２３、日時情報３２４、及び、投稿者名、説明文を受信し、動画ＤＢ７２３に格納する（ステップ４０１）。
【００８０】
図１４は、動画ＤＢ７２３の構成例を示す図である。
モバイル端末３から受信した動画データ３２１の識別番号となる動画番号７３１と、動画データ３２１、投稿者名７３３、説明文７３５、位置番号３２２、位置情報３２３、日時情報３２４と、投稿を受信した日時（投稿日時７３４）が、まず、格納される。
【００８１】
次に、動画共有サーバ７の制御部７１は、動画データ３２１の各位置番号ｎ（１〜Ｎ）の位置情報について、道路情報を取得する処理を実行する（ステップ４０２〜４０７）。すなわち、各位置番号ｎの位置が、どの道路のどの区間であるかを取得する。
道路情報の取得には、例えば、日本デジタル道路地図協会の「道路の区間ＩＤテーブル標準」等を使用する。
【００８２】
図１５は、日本デジタル道路地図協会の「道路の区間ＩＤテーブル標準」を説明する図である。
図１５（ａ）に示すように、例えば、都道府県道以上の交差点、県境で挟まれる道路網を区間ｄ（ｄ１〜ｄ３）、交差点、距離標、県境、市区町村境、その他道路管理者が定める点を参照点ｓ（ｓ１〜ｓ４）とする。
各参照点ｓの位置情報のデータと、各区間ｄの起点及び終点の参照点ｓにより、道路とその位置を規定している。
【００８３】
動画共有サーバ７の記憶部７２には、予めこれらの道路データ７２１が格納されている。
道路データ７２１は、参照点の位置情報（図１５（ｂ））と、区間の情報（図１５（ｃ））で構成される。
【００８４】
図１５（ｂ）に示すように、参照点ｓごとに、参照点の識別情報（参照点ＩＤ：ｓ１、ｓ２、・・・）７４０と参照点の位置情報７５１が格納される。
また、図１５（ｃ）に示すように、区間ごとに、区間の識別情報（区間ＩＤ：ｄ１、ｄ２、・・・）７５２と、当該区間の起点の参照点ＩＤ７５３、終点の参照点ＩＤ７５４と、当該区間の路線名７４５が格納される。
【００８５】
動画共有サーバ７による道路情報の取得処理では、まず、動画共有サーバ７の制御部が、位置番号カウンタｎを初期値１にセットする（ステップ４０２）。
次に、道路データ７２１を検索し、動画データ３２１の位置番号ｎの位置情報３２３が図１５（ｂ）の参照点に対応するかを調べる。
すなわち、図１５（ｂ）の参照点の位置情報を検索し、位置番号ｎの位置情報３２３を中心として「最小道路幅ｒ」を半径とする円内に参照点があれば、当該位置情報３２３が参照点に対応したと判断し、当該参照点の参照点ＩＤ７４０を動画ＤＢ７２３に格納し、位置捕捉フラグ７４２を「１」にする（ステップ４０３）。
【００８６】
ここで、「最小道路幅ｒ」は、所定の長さ、例えば、５．５ｍを予め記憶部７２に格納しておく。
位置番号ｎの位置情報３２３と対応する参照点がない場合には、位置捕捉フラグ７４２は「１」以外、例えば、「０」としておく。
【００８７】
次に、動画共有サーバ７の制御部７２は、当該位置番号ｎについて参照点ＩＤ７４０を格納した場合には（ステップ４０４のＹｅｓ）、動画ＤＢ７２３に直前に格納した参照点ＩＤ７４０を抽出し、当該位置番号ｎの参照点ＩＤと、直前に格納した参照点ＩＤの組からなる区間が、図１５（ｃ）の区間と対応するかを調べる。
すなわち、図１５（ｃ）の各区間の起点・終点の参照点ＩＤ７５３、７５４が当該位置番号ｎの参照点ＩＤと、直前に格納した参照点ＩＤと一致する区間を検索する。
【００８８】
対応する区間があった場合には、当該位置番号ｎが対応する区間ＩＤ７５２と路線名７４５を、動画ＤＢ７２３に格納する（ステップ４０５）。
【００８９】
対応区間を格納後、または、対応する区間がない場合、または、ステップ４０４のＮｏの場合（位置番号ｎの位置情報が参照点と対応しなかった場合）、ステップ４０６に進み、位置番号カウンタｎを１インクリメントし、動画データ３２１のすべての位置番号（１〜Ｎ）について処理していない場合（ステップ４０７のＮｏ）はステップ４０３に戻り、道路情報の検索処理（ステップ４０３〜４０７）を繰り返す。
すべての位置番号（１〜Ｎ）について処理が完了した場合（ステップ４０７のＹｅｓ）は、動画撮影処理（Ｓ２、Ｓ４）を終了する。
【００９０】
以上の動画撮影処理（Ｓ２、Ｓ４）により、動画共有サーバ７の動画ＤＢへの動画データ３２１のアップ処理が完了する。
動画データ３２１のアップ処理が完了すると、図１４に示すように、動画ＤＢ７２３には、動画番号７３１、動画データ３２１、投稿者名７３３、投稿日時７３４、説明文７３５、位置番号３２２、位置情報３２３、日時情報３２４、路線名７４５、参照点ＩＤ７４０、区間ＩＤ７５２、位置捕捉フラグ７４２にデータが格納される。
【００９１】
次に、動画共有サーバ７の動画ＤＢ７２３に格納されている動画の再生処理について説明する。
図１６、図１７は、動画再生処理（Ｓ５、Ｓ６）の処理の流れを示すフローチャートである。
【００９２】
モバイル端末３の制御部３１は、動画撮影・再生アプリ７２０が起動されると、動動画共有サーバ７に、アップされている動画情報の一覧を要求する（ステップ５０１）。
動画共有サーバ７の制御部７１は、動画ＤＢ７２３に格納されている動画情報の動画番号７３１、投稿者名７３３、説明文７３５、格納されている最初と最後の日時情報３２４をモバイル端末３に送信する（ステップ６０１）。このとき、新着情報２２のみの情報を送信するようにし、それ以外の動画の情報が必要な場合には、再度送信するようにしてもよい。
【００９３】
モバイル端末３の制御部３１は、受信した情報（動画番号７３１、投稿者名７３３、説明文７３５、格納されている最初と最後の日時情報３２４）を表示・入力部３６に一覧表示する（ステップ５０２）。
【００９４】
利用者が所望の新着情報（動画情報）２２を選択すると、モバイル端末３の制御部３１は、当該動画の動画番号７３１を動画共有サーバ７に送信し、再生を要求する（ステップ５０３）。
動画共用サーバ７の制御部７１は、要求を受信し、動画ＤＢ７２３を当該動画番号７３１で検索し、動画データ３２１、位置番号３２２、位置情報３２３、日時情報３２４、区間ＩＤ７５２、参照点ＩＤ７４０、路線名７４５、位置捕捉フラグ７４２をモバイル端末３に送信する（ステップ６０２）。
【００９５】
モバイル端末３の制御部３１は、受信した全データを記憶部３２に一時格納するとともに、位置番号カウンタｎに初期値１をセットする（ステップ５０４）。
【００９６】
モバイル端末３の制御部３１は、動画データ３２１を再生して表示・入力部３６に再生画像５４を表示し（図８（ｂ））、再生に同期させて、位置番号ｎに対応する位置情報３２３から周辺の地図情報５５を表示し、当該位置情報３２３の地点に再生地点をプロットする（再生地点プロット５６）（ステップ５０５）。
【００９７】
次に、再生中の地図上の位置について他の動画が存在するか判定し、存在する場合には、当該他の動画を取得して表示する処理を行う（ステップ５０６〜５１３）。
すなわち、まず、モバイル端末３の制御部３１は、ステップ５０４で動画共有サーバ７から取得した情報のなかの位置番号ｎについての位置捕捉フラグ７４２が１か否かを判定する（ステップ５０６）。
【００９８】
位置捕捉フラグ７４２が１の場合は、当位置番号ｎの位置情報が参照点に対応することを示し、同じ参照点を持つ他の動画が存在する可能性がある。
一方、位置捕捉フラグ７４２が１以外の場合は、当該位置番号ｎの位置は参照点ではなく、他の動画を検索できないので、位置捕捉フラグ７４２が１でない場合（ステップ５０６のＮｏ）は、ステップ５１４に進む。
位置捕捉フラグ７４２が１の場合（ステップ６０６のＹｅｓ）、モバイル端末３の制御部３１は、位置番号ｎに対応する参照点ＩＤ７４０と区間ＩＤ７５２を動画共有サーバ７に送信する（ステップ５０７）。
【００９９】
動画共有サーバ７の制御部７２は、動画ＤＢ７２３を検索し、受信した参照点ＩＤ７４０と一致し、かつ、区間ＩＤ７５２が一致しない動画データ３２１をすべて抽出し、当該動画データ３２１の動画番号７３１と、参照点ＩＤ７４０が一致した位置番号３２２及び位置情報３２３をモバイル端末３に送信する（ステップ６０３）。
参照点ＩＤ７４０が一致し、かつ、区間ＩＤ７５２が一致しない動画データとは、すなわち、同じ位置を通る別ルートの動画データを意味する。
【０１００】
ステップ６０３において、参照点ＩＤ７４０が一致する動画データについての動画番号７３１と位置番号３２２、位置情報３２３を抽出してもよく、その場合、同じルートの他の動画をすべて抽出でき、モバイル端末３で表示することが可能になる。
【０１０１】
モバイル端末３の制御部３１は、別ルートの動画番号７３１と、参照点ＩＤ７４０が一致した位置番号３２２及び位置情報３２３を受信し、地図上の当該位置情報３２３の位置に、別ルートの動画があることを示すマーク（別ルートの表示点５７）を表示する（ステップ５０８）。
図８（ｂ）では、別ルートの動画が存在することを、星印の別ルートの表示点５７で示している。
【０１０２】
モバイル端末３の制御部３１は、別ルートの表示点５７のマークにタッチされて選択されたか否かを判定する（ステップ５０９）。すなわち、利用者が、別ルートの動画を見たいか否かを判定する。選択されなかった場合（ステップ５０９のＮｏ）には、ステップ５１４に進む。
【０１０３】
別ルートの表示点５７が選択された場合には（ステップ５０９のＹｅｓ）には、モバイル端末３の制御部３１は、ステップ５０８で受信した、別ルートの動画の動画番号７３１を動画共有サーバ７に送る（ステップ５１０）。
動画共有サーバ７の制御部７１は、受信した動画番号７３１で動画ＤＢ７２３を検索し、別ルートの動画データ３２１、位置番号３２２、位置情報３２３、日時情報３２４、区間ＩＤ７５２、参照点ＩＤ７４０、路線名７４５をモバイル端末３に送信する（ステップ６０４）。
【０１０４】
モバイル端末３の制御部３１は、受信した別ルートの動画データ３２１を再生し、表示・入力部３６に表示する（ステップ５１１）。
このとき、ステップ５０８で取得した参照点ＩＤ７４０が一致した位置番号３２２が示す日時情報３２４の時刻まで、あるいは、モバイル端末３の表示・入力部３６に表示されている終了ボタン２３が押されるまで、別ルートの動画データ３２１を表示する（ステップ５１２、ステップ５１３）。
【０１０５】
別ルートの動画データ３２１の表示が終了したら（ステップ５１２のＹｅｓ、又は、ステップ５１３のＹｅｓ）、前に表示していた動画データ３２１の表示に戻るため、位置番号カウンタｎを１インクリメントし（ステップ５１４）、終了ボタン２３が押されるか、又は、位置番号カウンタｎが最後の位置番号の値よりも大きくなった場合（ステップ５１５のＹｅｓ）には動画再生処理Ｓ５、Ｓ６を終了し、それ以外の場合は、ステップ５０５に戻り、前に表示していた動画３２１の表示に戻る。
【０１０６】
以上のように、本実施の形態に係る動画撮影再生システム１により、モバイル端末３で、動画を撮影し、撮影画像とともに、撮影地点を地図上にプロットして表示することが可能になる。
また、撮影した動画データと、動画データの撮影位置情報を動画共有サーバ７の動画ＤＢに格納することにより、所望の動画をモバイル端末３が取得し、再生表示するとともに、再生地点を地図上にプロットして表示することが可能になる。
また、同じ位置で撮影された別ルートの動画を動画共有サーバ７からモバイル端末３が取得し、表示することが可能になる。
【０１０７】
以上のように、１つの動画の位置情報、道路情報から、他の関連する動画を抽出して表示することが可能になり、動画の共有の幅を広げることが可能になる。
共有されている動画を閲覧する際には、再生中の動画以外にも、同じ撮影地点の別の時間帯の動画や、別ルートの動画の存在が確認でき、再生する動画を常に選択しながら閲覧できるので、ドライブ計画を立てる場合などに、下見を兼ねて、ルートの事前確認や状態把握、シミュレーションを容易に行うことが可能になる。
【０１０８】
以上、添付図を参照しながら、本発明に係る動画撮影再生システム１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０９】
１………動画撮影再生システム
３………モバイル端末
５………ＧＰＳサーバ
７………動画共有サーバ
３２１………動画データ
３２２………位置番号
３２３………位置情報
３２４………日時情報
７２０………動画撮影。再生アプリケーション
７２１………道路データ
７２３………動画データベース
７３３………投稿者名
７３４………投稿日時
７３５………説明文
７４０………参照点ＩＤ
７４２………位置捕捉フラグ
７４５………路線名
７５２………区間ＩＤ
【図１】
2015069258.tif 000003
【図２】
2015069258.tif 000004
【図３】
2015069258.tif 000005
【図４】
2015069258.tif 000006
【図５】
2015069258.tif 000007
【図６】
2015069258.tif 000008
【図７】
2015069258.tif 000009
【図８】
2015069258.tif 000010
【図９】
2015069258.tif 000011
【図１０】
2015069258.tif 000012
【図１１】
2015069258.tif 000013
【図１２】
2015069258.tif 000014
【図１３】
2015069258.tif 000015
【図１４】
2015069258.tif 000016
【図１５】
2015069258.tif 000017
【図１６】
2015069258.tif 000018
【図１７】
2015069258.tif 000019